【手続補正書】
【提出日】平成29年5月25日(2017.5.25)
【手続補正１】
【補正対象書類名】明細書
【補正対象項目名】０１１４
【補正方法】変更
【補正の内容】
【０１１４】
本明細書に引用される全ての参考文献及び刊行物は、それらが本開示と直接矛盾し得る場合を除き、それらの全容を参照によって本開示に明確に援用するものである。以上、本明細書において具体的な実施形態を図示、説明したが、様々な代替的かつ／又は等価的な実現形態を、図示及び説明された具体的な実施形態に本開示の範囲を逸脱することなく置き換えることができる点は、当業者であれば認識されるところであろう。本出願は、本明細書において検討される具体的な実施形態のいかなる適合例又は変形例をも網羅しようとするものである。したがって、本開示は、特許請求の範囲及びその等価物によってのみ限定されるものとする。本発明の実施態様の一部を以下の態様［１］−［３６］に記載する。
［態様１］
ディスプレイ素子であって、
拡散反射性発光領域及び隣接する拡散反射性不活性領域を含む上面を有する有機発光ダイオード（ＯＬＥＤ）と、
前記上面に隣接する反射防止積層体であって、
前記上面に隣接して配設される吸収性偏光子、
前記上面と前記吸収性偏光子との間に配設された反射性偏光子であって、各偏光子の速軸が整列している、反射性偏光子、及び
前記上面と前記反射性偏光子との間に配設された位相差板であって、前記位相差板の前記速軸が前記偏光子の前記速軸に対してある角度で整列している、位相差板を備える、反射防止積層体と、を備える、ディスプレイ素子。
［態様２］
前記拡散反射性発光領域が、前記拡散反射性不活性領域の第２の拡散反射率を上回る第１の拡散反射率を有する、態様１に記載のディスプレイ素子。
［態様３］
前記拡散反射性発光領域及び前記隣接する拡散反射性不活性領域が各々、実質的に偏光保存性拡散反射体である、態様１に記載のディスプレイ素子。
［態様４］
前記位相差板が、前記吸収性偏光子速軸に対して４５度の角度で整列している位相差板速軸を有する１／４波長位相差板である、態様１に記載のディスプレイ素子。
［態様５］
前記拡散反射性発光領域及び前記隣接する拡散反射性不活性領域が各々、約１０度を上回る半値幅を有する反射率の角度分布を特徴とする、態様１に記載のディスプレイ素子。
［態様６］
前記拡散反射性発光領域及び前記隣接する拡散反射性不活性領域が各々、約５度を上回る半値幅を有する反射率の角度分布を特徴とする、態様１に記載のディスプレイ素子。
［態様７］
前記拡散反射性発光領域及び前記隣接する拡散反射性不活性領域が各々、約３度を上回る半値幅を有する反射率の角度分布を特徴とする、態様１に記載のディスプレイ素子。
［態様８］
前記第１及び第２の拡散反射率が各々、全反射率の約２０パーセント〜約８０パーセントの正反射率成分を特徴とする、態様１に記載のディスプレイ素子。
［態様９］
前記第１及び第２の拡散反射率が各々、全反射率の約２０パーセントを上回る拡散反射率成分を特徴とする、態様１に記載のディスプレイ素子。
［態様１０］
前記第１及び第２の拡散反射率が各々、全反射率の約３０パーセントを上回る拡散反射率成分を特徴とする、態様１に記載のディスプレイ素子。
［態様１１］
発光ゲインが、前記反射防止積層体を有しない前記ＯＬＥＤと比較して、約１．１を上回る、態様１に記載のディスプレイ素子。
［態様１２］
前記ＯＬＥＤの前記上面と前記位相差板との間の分離距離が、約１０マイクロメートルを上回る、態様１に記載のディスプレイ素子。
［態様１３］
前記ＯＬＥＤの前記上面と前記位相差板との間の分離距離が、約５０マイクロメートルを上回る、態様１に記載のディスプレイ素子。
［態様１４］
前記ＯＬＥＤの前記上面と前記位相差板との間の分離距離が、約１００マイクロメートルを上回る、態様１に記載のディスプレイ素子。
［態様１５］
前記拡散反射性発光領域からの発光について、二次像光度が、一次像光度の約５０パーセント未満を成す、態様１に記載のディスプレイ素子。
［態様１６］
前記拡散反射性発光領域からの発光について、二次像光度が、一次像光度の約３０パーセント未満を成す、態様１に記載のディスプレイ素子。
［態様１７］
前記拡散反射性発光領域からの発光について、二次像光度が、一次像光度の約２０パーセント未満を成す、態様１に記載のディスプレイ素子。
［態様１８］
１．１を上回る発光ゲイン、約０．１未満のぼやけピーク、及び約３．０未満の反射ゲインを有する、態様１に記載のディスプレイ素子。
［態様１９］
ディスプレイ素子であって、
拡散反射性発光領域及び隣接する拡散反射性不活性領域を含む上面を有する有機発光ダイオード（ＯＬＥＤ）と、
前記上面に隣接する反射防止積層体であって、
前記上面に隣接して配設される吸収性偏光子、
前記上面と前記吸収性偏光子との間に配設された反射性偏光子であって、前記各偏光子の速軸が整列し、かつ前記反射性偏光子が前記上面から１０マイクロメートルを上回る分離距離で離間される、反射性偏光子、及び
前記上面と前記反射性偏光子との間に配設された位相差板であって、前記位相差板速軸が前記偏光子の前記速軸に対してある角度で整列している、位相差板を備える、反射防止積層体と、を備える、ディスプレイ素子。
［態様２０］
前記拡散反射性発光領域が、前記拡散反射性不活性領域の第２の拡散反射率を上回る第１の拡散反射率を有する、態様１９に記載のディスプレイ素子。
［態様２１］
前記拡散反射性発光領域及び前記隣接する拡散反射性不活性領域が各々、実質的に偏光保存性拡散反射体である、態様１９に記載のディスプレイ素子。
［態様２２］
前記位相差板が、前記吸収性偏光子速軸に対して４５度の角度で整列している位相差板速軸を有する１／４波長位相差板である、態様１９に記載のディスプレイ素子。
［態様２３］
前記拡散反射性発光領域及び前記隣接する拡散反射性不活性領域が各々、約１０度を上回る半値幅を有する反射率の角度分布を特徴とする、態様１９に記載のディスプレイ素子。
［態様２４］
前記拡散反射性発光領域及び前記隣接する拡散反射性不活性領域が各々、約５度を上回る半値幅を有する反射率の角度分布を特徴とする、態様１９に記載のディスプレイ素子。
［態様２５］
前記拡散反射性発光領域及び前記隣接する拡散反射性不活性領域が各々、約３度を上回る半値幅を有する反射率の角度分布を特徴とする、態様１９に記載のディスプレイ素子。
［態様２６］
前記第１及び第２の拡散反射率が各々、全反射率の約２０パーセント〜約８０パーセントの正反射率成分を特徴とする、態様１９に記載のディスプレイ素子。
［態様２７］
前記第１及び第２の拡散反射率が各々、全反射率の約２０パーセントを上回る拡散反射率成分を特徴とする、態様１９に記載のディスプレイ素子。
［態様２８］
前記第１及び第２の拡散反射率が各々、全反射率の約３０パーセントを上回る拡散反射率成分を特徴とする、態様１９に記載のディスプレイ素子。
［態様２９］
発光ゲインが、前記反射防止積層体を有しない前記ＯＬＥＤと比較して、約１．１を上回る、態様１９に記載のディスプレイ素子。
［態様３０］
前記ＯＬＥＤの前記上面と前記反射性偏光子との間の分離距離が、約５０マイクロメートルを上回る、態様１９に記載のディスプレイ素子。
［態様３１］
前記ＯＬＥＤの前記上面と前記反射性偏光子との間の分離距離が、約１００マイクロメートルを上回る、態様１９に記載のディスプレイ素子。
［態様３２］
前記拡散反射性発光領域からの発光について、二次像光度が、一次像光度の約５０パーセント未満を成す、態様１９に記載のディスプレイ素子。
［態様３３］
前記拡散反射性発光領域からの発光について、二次像光度が、一次像光度の約３０パーセント未満を成す、態様１９に記載のディスプレイ素子。
［態様３４］
前記拡散反射性発光領域からの発光について、二次像光度が、一次像光度の約２０パーセント未満を成す、態様１９に記載のディスプレイ素子。
［態様３５］
１．１を上回る発光ゲイン、約０．１未満のぼやけピーク、及び約３．０未満の反射ゲインを有する、態様１９に記載のディスプレイ素子。
［態様３６］
態様１又は態様１９に記載のディスプレイ素子のうちの少なくとも１つを備える、ピクセル化されたディスプレイ。
【手続補正２】
【補正対象書類名】特許請求の範囲
【補正対象項目名】全文
【補正方法】変更
【補正の内容】
【特許請求の範囲】
【請求項１】
ディスプレイ素子であって、
拡散反射性発光領域及び隣接する拡散反射性不活性領域を含む上面を有する有機発光ダイオード（ＯＬＥＤ）と、
前記上面に隣接する反射防止積層体であって、
前記上面に隣接して配設される吸収性偏光子、
前記上面と前記吸収性偏光子との間に配設された反射性偏光子であって、各偏光子の速軸が整列している、反射性偏光子、及び
前記上面と前記反射性偏光子との間に配設された位相差板であって、前記位相差板の前記速軸が前記偏光子の前記速軸に対してある角度で整列している、位相差板を備える、反射防止積層体と、を備える、ディスプレイ素子。
【請求項２】
ディスプレイ素子であって、
拡散反射性発光領域及び隣接する拡散反射性不活性領域を含む上面を有する有機発光ダイオード（ＯＬＥＤ）と、
前記上面に隣接する反射防止積層体であって、
前記上面に隣接して配設される吸収性偏光子、
前記上面と前記吸収性偏光子との間に配設された反射性偏光子であって、前記各偏光子の速軸が整列し、かつ前記反射性偏光子が前記上面から１０マイクロメートルを上回る分離距離で離間される、反射性偏光子、及び
前記上面と前記反射性偏光子との間に配設された位相差板であって、前記位相差板速軸が前記偏光子の前記速軸に対してある角度で整列している、位相差板を備える、反射防止積層体と、を備える、ディスプレイ素子。
【請求項３】
請求項１又は請求項２に記載のディスプレイ素子のうちの少なくとも１つを備える、ピクセル化されたディスプレイ。